(57)【要約】  【課題】簡単な原理に基づいて、配線ダクトの利用形態の変更を可能にした新たな構造のデスクを実現する。  【解決手段】天板３の反使用縁３ｃ側の下方に配線ダクト空間Ｓおよび幕板２を備えるものであり、幕板２を、天板３を支持する脚体１に対する奥行き位置を変えることなくその上縁位置を上下に切替可能とし、これにより配線ダクト空間Ｓに、反使用縁３ｃ側を幕板として機能する立壁４２によって閉塞された第１の使用態様Ｓ１と、反使用縁３ｃ側を幕板として機能する立壁２に妨げられずに開放された第２の使用態様Ｓ２とを選択的にとり得るように構成して、部品点数を抑えかつ簡単な作業のみで使用態様の変更に対応できるようにした。  【選択図】図２
2010063663.tif 000002
【特許請求の範囲】
【請求項１】
天板の反使用縁側の下方に配線ダクト空間および幕板を備えてなるものにおいて、前記幕板を、天板を支持する脚体に対する奥行き位置を変えることなくその上縁位置を上下に切替可能とし、これにより前記配線ダクト空間に、反使用縁側を幕板によって閉塞された第１の使用態様と、反使用縁側を幕板に妨げられずに開放された第２の使用態様とを選択的にとり得るように構成したことを特徴とするデスク。
【請求項２】
脚体を構成する左右の脚側板の内面に配線ダクト部材および幕板の両端部を個別に取り付け、配線ダクト部材又は幕板の何れか一方のみを脚体に対して付け替えることによって、前記配線ダクト空間の使用態様を変更可能としている請求項１記載のデスク。
【請求項３】
配線ダクト空間が、幕板の近傍に配線ダクト部材を着脱可能に位置づけることによって形成され、この配線ダクト部材は、奥行き方向の一方の縁部に幕板の一部として機能する立壁を有し、この配線ダクト部材の奥行き方向の何れか一方の縁部を前記幕板の上縁に載せ置くようにして取り付けることにより、立壁を前記幕板に連続する位置に位置づけて幕板の一部としその上縁を幕板の新たな上縁として配線ダクト空間の反使用縁側を閉塞する第１の使用態様と、立壁を前記幕板に連続する位置から退避する位置に位置づけ前記幕板の上縁の上方において配線ダクト空間の反使用縁側を開放する第２の使用態様とに選択的に切替可能としている請求項１又は２何れかに記載のデスク。
【請求項４】
配線ダクト部材が、底壁の一方の縁部に立壁を有した概略Ｌ字状のものであり、この配線ダクト部材の立壁を幕板の上方に連続する位置に起立させて配線ダクト空間の反使用縁側を閉塞する第１の使用態様とし、前記配線ダクト部材を１８０°水平旋回させ前記立壁を幕板の前方に起立させて配線ダクト空間の反使用縁側を開放する第２の使用態様とするようにしている請求項３記載のデスク。
【請求項５】
配線ダクト部材が、一対の壁部を連続させた概略Ｌ字状のものであり、この配線ダクト部材の一方の壁部を幕板の上方に連続する位置に起立させて配線ダクト空間の反使用縁側を閉塞する第１の使用態様とし、前記配線ダクト部材を鉛直面内で９０°回転させ他方の壁部を幕板の前方に起立させて配線ダクト空間の反使用縁側を開放する第２の使用態様とするようにしている請求項３記載のデスク。
【請求項６】
幕板が、配線ダクト空間の近傍に上下位置変更可能に取り付けられるものであって、前記幕板の上縁を上方に位置づけることにより配線ダクト空間の反使用縁側を閉塞する第１の使用態様と、前記上縁を下方に位置づけることにより当該幕板の上縁の上方において配線ダクト空間の反使用縁側を開放する第２の使用態様とに切り替え可能とされている請求項１又は２何れかに記載のデスク。
【請求項７】
左右の脚体間に配線ダクト部材と幕板を取付け、更に幕板の上方に連続する位置に補助幕板を着脱し得るように構成して、配線ダクト空間を、補助幕板を取り付けて当該補助幕板の上縁を幕板の新たな上縁とすることにより配線ダクト空間の反使用縁側を閉塞する第１の使用態様と、補助幕板を取り除いて幕板の上縁を下方に位置づけ当該幕板の上縁の上方において配線ダクト空間の反使用縁側を開放する第２の使用状態とに切り替え得るようにしている請求項１又は２何れかに記載のデスク。
【請求項８】
請求項１〜７何れかに記載のデスクを、配線ダクト空間を反使用縁側に開放した第２の使用態様において突き合わせた状態で、配線ダクト空間同士が連なって幅広な配線ダクト空間を形成してなることを特徴とするデスクシステム。
【発明の詳細な説明】
【技術分野】
【０００１】
本発明は、配線ダクト空間の利用形態の変更を極めて簡便に実現したデスク及びデスクシステムに関するものである。
【背景技術】
【０００２】
近時におけるオフィスの多様な形態に対応し、またＯＡ化によって増加した配線の処理を適切に行うべく、例えば特許文献１等に示されるように、デスクの配置に応じて配線トレイの取付姿勢を切り替え得るようにしたものが考えられている。
【０００３】
このものは、天板と、この天板を下方から支持する支持体とを具備し、天板の反使用端に沿って延び配線コードを収納し得る配線案内路を有する配線トレイを設けたものであり、前記配線トレイを、配線案内路を後方へ閉塞させた第１使用姿勢又は配線案内路を後方へ開放させた第２使用姿勢の何れか一方の姿勢を選択して配置し得るように構成されている。第１の使用姿勢はデスクの背面側が見え易い状態で使用する場合に配線案内路の背面側の外観を保ち、第２の使用姿勢はデスクを壁に突き当てたりデスクの反使用縁同士を突き合せて使用する場合に配線案内路の使い勝手を良好にするものである。
【０００４】
支持体は脚の上端にＴ字状をなすように前後方向に延在され、その支持体の上面に引っ掛けるように配線トレイ用ブラケットを取り付けて配線トレイを支持させるようにしている。また、配線トレイ用ブラケットの下端側に幕板用ブラケットを取り付けて、この幕板用ブラケットに幕板を吊り下げるように支持させている。
【０００５】
配線トレイは、前後方向に対向する位置に高さの異なる立壁を有し、配線トレイの前後方向を反転させることによって、該配線トレイが第１使用姿勢又は第２使用姿勢をとるように構成され、また幕板を、配線トレイの前後何れの端部に取り付けるかによって、幕板に２種類の取付位置を実現するようにしている。
【特許文献１】特開２００４−２２９８２４号公報
【発明の開示】
【発明が解決しようとする課題】
【０００６】
ところが、上記のような構成の場合、幕板を吊り下げるように支持する関係上、幕板を幕板用ブラケットのみならず配線トレイ用ブラケットにも引っ掛けるようにして取付強度を確保しており、また、その前方に配線トレイを幕板と干渉しないように取り付けることによって各々の着脱構造を実現している。すなわち、配線トレイおよび幕板の取付姿勢や取付位置の組み合わせによって４種類のバリエーションを実現している点では有用であるものの、そのために部品点数や変更作業に係る作業工数が多く、それに伴い取付状態も不安定になりがちなものである。また、配線案内路を後方へ閉塞させた第１使用姿勢をとった際に幕板と配線トレイの立壁との間に好ましくない段差が生じ、幕板を幕板用ブラケットの前方に位置づける構成は下肢空間の奥行きを狭めることにもなる。さらに、脚体と幕板との間が側方に開放されるため、配線類が露出して見栄えを損なう原因となる。
【０００７】
本発明は、より簡単な原理に基づき、外観を損ねることなく配線ダクトの利用形態の変更を可能にした新たな構造のデスクを実現することを目的としている。
【課題を解決するための手段】
【０００８】
本発明は、かかる目的を達成するために、次のような手段を講じたものである。
【０００９】
すなわち、本発明のデスクは、天板の反使用縁側の下方に配線ダクト空間および幕板を備えてなるものにおいて、前記幕板を、天板を支持する脚体に対する奥行き位置を変えることなくその上縁位置を上下に切替可能とし、これにより前記配線ダクト空間に、反使用縁側を幕板によって閉塞された第１の使用態様と、反使用縁側を幕板に妨げられずに開放された第２の使用態様とを選択的にとり得るように構成したことを特徴とする。
【００１０】
このように構成すれば、幕板の上縁の位置を切り替えるだけで配線ダクト空間の使用態様を選択することができるので、部品点数を抑えかつ簡単な作業のみで使用態様の変更に容易に対応することができる。また、幕板自体は奥行き位置を変えることなく上縁位置が変化するだけであるから、下肢空間に一定の奥行きを確保することができ、幕板の面一度も確保して外観を損なうことを防止することができる。
【００１１】
好ましい実施の一態様としては、脚体を構成する左右の脚側板の内面に配線ダクト部材および幕板の両端部を個別に取り付け、配線ダクト部材又は幕板の何れか一方のみを脚体に対して付け替えることによって、前記配線ダクト空間の使用態様を変更可能としているものが挙げられる。
【００１２】
配線ダクト部材の付け替えによって使用態様を変更する構成としては、配線ダクト空間が、幕板の近傍に配線ダクト部材を着脱可能に位置づけることによって形成され、この配線ダクト部材は、奥行き方向の一方の縁部に幕板の一部として機能する立壁を有し、この配線ダクト部材の奥行き方向の何れか一方の縁部を前記幕板の上縁に載せ置くようにして取り付けることにより、立壁を前記幕板に連続する位置に位置づけて幕板の一部としその上縁を幕板の新たな上縁として配線ダクト空間の反使用縁側を閉塞する第１の使用態様と、立壁を前記幕板に連続する位置から退避する位置に位置づけ前記幕板の上縁の上方において配線ダクト空間の反使用縁側を開放する第２の使用態様とに選択的に切替可能としているものが挙げられる。
【００１３】
その付け替えの具体的な態様としては、配線ダクト部材が、底壁の一方の縁部に立壁を有した概略Ｌ字状のものであり、この配線ダクト部材の立壁を幕板の上方に連続する位置に起立させて配線ダクト空間の反使用縁側を閉塞する第１の使用態様とし、前記配線ダクト部材を１８０°水平旋回させ前記立壁を幕板の前方に起立させて配線ダクト空間の反使用縁側を開放する第２の使用態様とするようにしているものや、配線ダクト部材が、一対の壁部を連続させた概略Ｌ字状のものであり、この配線ダクト部材の一方の壁部を幕板の上方に連続する位置に起立させて配線ダクト空間の反使用縁側を閉塞する第１の使用態様とし、前記配線ダクト部材を鉛直面内で９０°回転させ他方の壁部を幕板の前方に起立させて配線ダクト空間の反使用縁側を開放する第２の使用態様とするようにしているもの等が好適である。
【００１４】
幕板の付け替えによって使用態様を変更する構成としては、幕板が、配線ダクト空間の近傍に上下位置変更可能に取り付けられるものであって、前記幕板の上縁を上方に位置づけることにより配線ダクト空間の反使用縁側を閉塞する第１の使用態様と、前記上縁を下方に位置づけることにより当該幕板の上縁の上方において配線ダクト空間の反使用縁側を開放する第２の使用態様とに切り替え可能とされているものが挙げられる。
【００１５】
配線ダクト部材や幕板以外の要素部品を導入しその付け替えによって使用態様を変更する構成としては、左右の脚体間に配線ダクト部材と幕板を取付け、更に幕板の上方に連続する位置に補助幕板を着脱し得るように構成して、配線ダクト空間を、補助幕板を取り付けて当該補助幕板の上縁を幕板の新たな上縁とすることにより配線ダクト空間の反使用縁側を閉塞する第１の使用態様と、補助幕板を取り除いて幕板の上縁を下方に位置づけ当該幕板の上縁の上方において配線ダクト空間の反使用縁側を開放する第２の使用状態とに切り替え得るようにしているものが挙げられる。
【００１６】
本発明のデスクは、以上説明した構成であるから、配線ダクト空間を反使用縁側に開放した第２の使用態様においてデスク同士を突き合わせることにより、配線ダクト空間同士を連ねて幅広な配線ダクト空間を形成したデスクシステムを有効に構築することが可能となる。
【発明の効果】
【００１７】
本発明は、以上説明したように、幕板の上縁の位置を切り替えるだけで配線ダクト空間の使用態様を選択することができので、部品点数を抑えて構成でき、かつ簡単な作業のみで使用態様の変更、レイアウトの変更等に容易に対応することができる。しかも、幕板自体の奥行きを一定に保ち、その上縁位置を変化させるだけであるから、配線ダクト空間の使用態様の変更による利便性を高めても、下肢空間に一定の奥行きを確保し、幕板の面一度も確保して、ワーカーの居住性とデスクの良好な外観とを有効に維持することが可能となる。
【発明を実施するための最良の形態】
【００１８】
以下、本発明の一実施形態を、図面を参照して説明する。
【００１９】
この実施形態のデスクは、図１及び図２に示すように、左右の脚体１，１の内面１ｃ、１ｃ間を幕板２で連結するとともに、前記左右の脚体１，１の上面１ａ、１ａ間に天板３を支持させ、さらに、前記幕板２の上縁２ａ近傍に配線ダクト部材４を取り付けることによって構成されている。
【００２０】
脚体１は、中空体状をなす脚側板１１の上下より前方に向けてステー１２およびベース１３を延在させたもので、脚体１の一部の上面１ａ（この実施形態では脚側板１１の上面）に天板３を奥行き方向に位置変更可能に取り付けるための取付部１４を構成している。この取付部１４は、前記上面１ａにおける奥行き方向の間欠位置に開口させた複数のダルマ孔１４ａ、１４ａ、…からなるもので、各ダルマ孔１４ａは、図２（ｂ）に示すように、前方に大径部１４ａ１、後方に小径部１４ａ２が位置づけられている。脚側板１１の後端近傍の上面には同図（ａ）に示すようにキャップ取付孔１１ａが開口し、当該脚側板１１の後上方のコーナー部近傍の内面１ｃにはダクト取付孔１１ｂが内面側に向けて４箇所に開口している。
【００２１】
天板３は、前記左右の脚体１の上面１ａ、１ａ間に架け渡される幅寸法および奥行き寸法を備えた矩形状のもので、図２（ｂ）に示すように、側縁３ａ近傍の下面に、前記脚体１の取付部１４に係り合う係り合い部３１を設けている。この実施形態の係り合い部３１は、首部３１ａの下端側に拡径した頭部３１ｂを有する段付きピン状のもので、頭部３１ｂを前記取付部１４ａの大径部１４ａ１に挿入し、その位置から天板３を後方にスライドさせて頭部３を小径部１４ａ２の下方に移動させることによって、天板３を脚体１に対して浮き上がらない状態で係り合わせるようにしている。係り合い部３１を何れの取付部１４ａに係り合わせるかによって、天板３の奥行き方向の取付位置を、少なくとも天板３の使用縁３ｂが脚体１の前端１ｘにほぼ揃った図１の後方位置と、この位置から天板３が前方に移動した図２に示す前方位置とを選択して取り付けることができる。図１の状態で天板３の反使用縁３ｃは脚体１の裏面１ｂよりも所定距離だけ前方に位置し、その所定距離を充填して見掛け上天板３の一部を構成する位置に配線カバー５が、前記キャップ取付孔１１ａに取り付けたキャップ部材５ａによって開閉可能に配置されている。
【００２２】
幕板２は、図２及び図３に示すように、面板部２１の上縁２ａ、下縁２ｂおよび側縁２ｃにそれぞれ折り曲げ部２１ａ、２１ｂ、２１ｃを形成した板金製のもので、裏面２ｄを脚体１の裏面１ｂに略面一に位置づけた状態で、左右両側縁２ｃの折り曲げ部２１ｃを前記脚体１の内面１ｃに突き当てて固定している。この幕板２の上下方向の取付位置は、図２に示すように、上縁２ａが脚体１の上面１ａ（したがって天板３の下面）に対して所定寸法δだけ下方に位置するように設定されている。
【００２３】
配線ダクト部材４は、底壁４１と、この底壁４１の奥行き方向の一縁部４ａより立ち上がる立壁４２とを備えた側断面概略Ｌ字状のもので、左右両端部４ｃに折り曲げによって側面視Ｌ字状の側壁４３が形成され、底壁４１と立壁４２とによって部分的に囲まれる部位が配線ダクト空間Ｓとして設定されている。この配線ダクト空間Ｓの上方を位置する前記配線カバー５は、図３に示すように、当該配線ダクト空間Ｓの後方を部分的に覆う大きさ関係にある。底壁４１には、補強と配線のはみだし規制を兼ねて、図２及び図３に示すように、前記一縁部４ａと対向する他縁部４ｂにも折り曲げ部４４が僅かに立ち上がっており、立壁４２の上縁にも同様の折り曲げ部４５が補強を兼ねて設けてある。また、底壁４１の２箇所には、床から立ち上げた配線を配線ダクト空間Ｓに引き込み、あるいは配線ダクト空間Ｓの配線を床上に落とし込むために、当該配線ダクト空間Ｓを下方に開放する開口４１ａが打ち抜いてあり、この開口４１ａにエッジ部材を嵌め込んで配線通過窓４１ｂを構成している。前記側壁４３には、前記脚体１のダクト取付孔１１ｂに対応する位置にダクト取付孔４３ｂが設けてある。本実施形態の場合、これらのダクト取付孔１１ｂ、４３ｂは角孔状のもので、前記立壁４２の折り曲げ部４５は前記幕板２の上縁２ａの折り曲げ部２１ａとほぼ同幅に設定してある。
【００２４】
この配線ダクト部材４は、図２〜図４に示すように、前後方向の一縁部４ａ近傍を前記幕板２の上縁２ａに、立壁４２の外面４２ｄを幕板２の外面２ｄにほぼ面一に連続させて載せ置いた状態で、側壁４３のダクト取付孔４３ｂが脚体１のダクト取付孔１１ｂの一部と合致する位置関係および寸法関係に設定してある。そして、この状態で、配線ダクト部材４の側壁４３の内面側から図４（ｂ）に示すようにダクト取付孔４３ｂ、１１ｂに止着具６を差し込むことによって、配線ダクト部材４を脚体１の内面１ｃ、１ｃ間に３箇所で固定するようにしている。この実施形態で用いる止着具６は、詳細な構造は図示省略するが、ダクト取付孔４３ｂ、１１ｂに押し込むことで樹脂の弾性を利用して差し込まれた状態を維持し、指先で一部を摘んで引っ張ることによって一時的な弾性変形を伴いながら抜脱させることの可能なファスナの類のものである。
【００２５】
図２に示す立壁４２の上下寸法ｄは、前記幕板２の下方への変位量δにほぼ対応させてあり、上縁側の折り曲げ部４５が見掛け上幕板２の折り曲げ部２１ａに対応していることもあって、この配線ダクト部材４を取り付けた状態で、幕板２は立壁４２と協働してより大きな幕板を構成するようにしている。
【００２６】
すなわち、図３及び図４に示すように、配線ダクト部材４の奥行き方向の縁部４ａを前記幕板２の上縁２ａに載せ置くようにして取り付けることにより、立壁４２を前記幕板２に連続する位置に位置づけてその上縁４２ａを幕板２の新たな上縁として、配線ダクト空間Ｓの反使用縁側を閉塞する第１の使用態様Ｓ１をとり得るようにしている。図４の状態から天板３を後方位置に移動させ、カバー５を取り付ければ図１の状態となる。
【００２７】
また、前記配線ダクト部材４は、１８０°水平旋回させて縁部の前後関係を入れ替えた図５〜図７に示す状態で、他方の縁部４ｂやその上の折り曲げ部４４の裏面が幕板２の裏面２ｄに略一致し、かつダクト取付孔４３ｂが脚体１のダクト取付孔１１ｂの一部に合致する寸法関係に設定してある。そして、この状態で、図４（ｂ）に示したように配線ダクト部材４の側壁４３の内面側からダクト取付孔４３ｂ、１１ｂに止着具６を差し込むことによって、配線ダクト部材４を脚側板１１の内面に３箇所で固定可能としている。
【００２８】
この状態において、前記立壁４２は幕板２に連続する位置から退避して、幕板２の前方において天板３の下面近くにまで起立し、幕板２の上縁２ａの上方において配線ダクト空間Ｓの反使用縁３ｃ側を開放する第２の使用態様Ｓ２をとり得るようにしている。
【００２９】
天板３が後方位置にある図６の状態で、配線カバー５を外すと、配線ダクト空間Ｓの後方側の一部にアクセスして配線やハブ、電力線等の収納を行うことができ、更に天板３を図５に示す前方位置に移動させると、配線ダクト部材４のほぼ全体を上方に開放して、当該配線ダクト部材４の着脱を容易に行うことができる。
【００３０】
図において、符号７で示すものは、配線カバー５を中間で支持する支持部材であり、天板３の下面に取り付けられていて、この支持部材７にもキャップ部材５ａが取り付けられる。これは天板幅すなわちカバー５が分割しているときの対応であり、カバー支持構造がこのような形態に限定されないのは勿論である。
【００３１】
このような配線ダクト空間Ｓに関する使用形態の変更機能が備わることで、図２〜図４に示す第１の使用形態Ｓ１は、デスクの裏面側が執務空間に露出した状態に配置されて単独で或いは横並びで使用される場合の配線処理に有効となり、図５〜図７に示す第２の使用形態Ｓ２は、デスクの反使用縁側を壁等に突き当てて使用する際の配線引き回しの処理等に有効となる。さらに当該第２の使用形態は、図６に想像線で示すように、一対のデスクを、天板３の反使用縁３ｃ同士を突き当てた状態で配置して、配線ダクト空間Ｓ、Ｓの連続するデスクシステムを構成することも可能である。この場合、配線ダクト部材４の底壁４１，４１同士がほぼ連続して、立壁４２，４２間に拡幅された配線ダクト空間ＳＳを形成することになるので、この配線ダクト空間ＳＳに個々のデスクから個別に配線類を落とし込むことができるのは勿論のこと、幅広な配線機器類等も無理なく収納することができるようになる。
【００３２】
以上のように、本実施形態のデスクは、天板３の反使用縁３ｃ側の下方に配線ダクト空間Ｓおよび幕板２を備えるものであり、前記幕板２を、天板３を支持する脚体１に対する奥行き位置を変えることなくその上縁位置を上下に切替可能とし、これにより前記配線ダクト空間Ｓに、反使用縁３ｃ側を幕板として機能する立壁４２によって閉塞された第１の使用態様Ｓ１と、反使用縁３ｃ側を幕板として機能する立壁２に妨げられずに開放された第２の使用態様Ｓ２とを選択的にとり得るように構成したものである。
【００３３】
このように、幕板２の本来の上縁２ａの位置と立壁４２による新たな幕板の上縁４２ａの位置とで当該上縁を切り替えるだけで配線ダクト空間Ｓの使用態様を選択することができるので、部品点数を抑えかつ簡単な作業のみで使用態様の変更に容易に対応することができる。また、幕板２自体は奥行き位置を変えることなく立壁４２の有無に応じて上縁の位置が符号２ａで示す位置か符合４２ａで示す位置かで変化するだけであるから、図３、図６に示す天板３の下肢空間Ｚに一定の奥行きを確保することができ、立壁４２を連ねた際の幕板２の面一度も確保して外観を損なうことを有効に防止することができる。
【００３４】
特に、脚体１を構成する左右の脚側板１１の内面に配線ダクト部材４および幕板２の両端部を個別に取り付け、そのうちの配線ダクト部材４のみを脚体１に対して付け替えることによって前記配線ダクト空間Ｓの使用態様を変更可能としているので、部品点数を抑えつつ幕板２及び配線ダクト部材４の取付状態を安定確実なものにすることができ、切り替え作業も極めて簡単に行うことができる。さらに、配線ダクト部材４を取り外して付け替える間、幕板２は脚体１，１間を直接連結した状態を維持するため、左右の脚体１，１間の離間距離を狂わせることがなく、変更作業を的確に行うことができる。そして、配線ダクト空間Ｓの端部は脚側板１１によって隠蔽されるので、配線類が側方に露出することがなく、外観をより有効な状態に保つことができるようになる。
【００３５】
具体的には、配線ダクト空間Ｓが、幕板２の近傍に配線ダクト部材４を着脱可能に位置づけることによって形成され、この配線ダクト部材４は、奥行き方向の一方の縁部４ａに幕板２の一部として機能する立壁４２を有し、この配線ダクト部材４の奥行き方向の縁部４ａ、４ｂの何れか一方を前記幕板２の上縁２ａに載せ置くようにして取り付けることにより、立壁４２を前記幕板２に連続する位置に位置づけて幕板２の一部としその上縁４２ａを幕板２の新たな上縁として配線ダクト空間Ｓの反使用縁側を閉塞する第１の使用態様Ｓ１と、立壁４２を前記幕板２に連続する位置から退避する位置に位置づけ前記幕板２の上縁２ａの上方において配線ダクト空間Ｓの反使用縁側を開放する第２の使用態様Ｓ２とに選択的に切替可能としたものである。
【００３６】
このため、配線ダクト部材４の使用姿勢を変更するだけで幕板２は一切動かす必要がなくなり、また、配線ダクト部材４の一部を幕板２の上に載せ置いて取り付けるため、取付状態が安定し、固定作業や取り外し作業も平易に行うことができるようになる。
【００３７】
より具体的には、配線ダクト部材４が、底壁４１の一方の縁部４ａに立壁４２を有した概略Ｌ字状のものであり、この配線ダクト部材４の立壁４２を幕板２の上方に連続する位置に起立させて配線ダクト空間Ｓの反使用縁側を閉塞する第１の使用態様Ｓ１とし、前記配線ダクト部材を１８０°水平旋回させ前記立壁４２を幕板２の前方に起立させて配線ダクト空間Ｓの反使用縁側を開放する第２の使用態様Ｓ２とするようにしているので、極めて簡単な作業によって使用態様の変更をなすことが可能となる。
【００３８】
そして、上記のデスクを、配線ダクト空間Ｓを反使用縁側に開放した第２の使用態様Ｓ２において突き合わせた状態で、配線ダクト空間Ｓ，Ｓ同士が連なって幅広な配線ダクト空間ＳＳを形成するようにしているので、対面使用時により使い勝手の良い配線ダクト空間ＳＳを有するデスクシステムを有効に提供することが可能となる。
【００３９】
なお、各部の具体的な構成は、上述した実施形態のみに限定されるものではない。
【００４０】
例えば、図８に示すように、配線ダクト部材１０４が一対の壁部１４１，１４１を直角に連続させた概略Ｌ字状のものであり、この配線ダクト部材１０４の一方の壁部１４１を同図（ａ）に示すように幕板１０２の上方に連続する位置に起立させて配線ダクト空間Ｓの反使用縁側を閉塞する第１の使用態様Ｓ１とし、前記配線ダクト部材１０４を同図（ｂ）に示すように鉛直面内で９０°回転させ他方の壁部を幕板の前方に起立させて配線ダクト空間Ｓの反使用縁側を開放する第２の使用態様Ｓ２とするように構成してもよい。このように構成すると、配線ダクト空間Ｓの断面形状は略正方形に近くなる制約はあるが、配線ダクト部材１０４を取り出して向きを変える必要がないので、より簡単に使用態様の変更作業を行うことが可能となる。
【００４１】
また、図９に示すように、天板３の反使用縁３ｃ側の下面に配線ダクト部材２０４を固定して設けるとともに、幕板２０２を、前記配線ダクト部材２０４の配線ダクト空間Ｓに対してその近傍で上下位置を変更できるように着脱可能に構成して、同図（ａ）に示すように幕板２０２の上縁２０２ａを上方に位置づけることにより配線ダクト空間Ｓの反使用縁側を閉塞する第１の使用態様Ｓ１と、同図（ｂ）に示すように前記上縁２０２ａを下方に位置づけることにより当該幕板２０２の上縁２０２ａの上方において配線ダクト空間Ｓの反使用縁側を開放する第２の使用態様Ｓ２とに切り替え可能とすることも有効である。
【００４２】
このように構成すると、幕板２０２それ自体を上下に位置変更するだけで配線ダクト空間Ｓの使用態様を変更できるので、配線ダクト部材２０４等を動かす必要がなくなる。また、配線ダクト部材２０４に幕板として機能するような立壁が不要となるので、形態を自由に構成することができ、より使い勝手のよい配線ダクト空間の形状を追求することも容易となる。
【００４３】
さらに、図１０に示すように、左右の脚体３０１，３０１間に配線ダクト部材３０４と幕板３０２を固定して取付け、更に幕板３０２の上方に連続する位置に補助幕板４０２を着脱し得るように構成して、配線ダクト空間Ｓを、同図（ａ）に示すように補助幕板４０２を取り付けて当該補助幕板４０２の上縁４０２ａを幕板の新たな上縁とすることにより配線ダクト空間Ｓの反使用縁側を閉塞する第１の使用態様Ｓ１と、同図（ｂ）に示すように補助幕板４０２を取り除いて幕板３０２の上縁３０２ａを下方に位置づけ当該幕板３０２の上縁３０２ａの上方において配線ダクト空間Ｓの反使用縁側を開放する第２の使用状態Ｓ２とに切り替え得るように構成することも有効となる。
【００４４】
このように構成すると、配線ダクト部材３０４も幕板３０２も付け替える必要がなく、小型軽量な補助幕板４０２のみを着脱すればよいので、作業性が極めて良好となり、より平易な作用で配線ダクト空間Ｓの使用態様の変更を実現することができる。
【００４５】
その他の構成も、本発明の趣旨を逸脱しない範囲で種々変形が可能である。
【図面の簡単な説明】
【００４６】
【図１】本発明の一実施形態に係るデスクの斜視図。
【図２】同デスクに第１の使用態様で配線ダクト空間を形成する際の手順を示す図。
【図３】同デスクに第１の使用態様で配線ダクト空間を形成した状態を示す模式的な側断面図。
【図４】図３に対応した斜視図。
【図５】同デスクに第２の使用態様で配線ダクト空間を形成する際の手順を示す図。
【図６】同デスクに第２の使用態様で配線ダクト空間を形成した状態を示す模式的な側断面図。
【図７】図６に対応した斜視図。
【図８】本発明の他の実施形態を示す模式的な側断面図。
【図９】本発明のさらに他の実施形態を示す模式的な側断面図。
【図１０】本発明の上記以外の実施形態を示す模式的な側断面図。
【符号の説明】
【００４７】
１…脚体
１ｃ…内面
２、１０２、２０２、３０２…幕板
２ａ、２０２ａ…上縁
２ｃ…端部
３…天板
３ｃ…反使用縁
４、１０４、２０４、３０４…配線ダクト部材
４ａ、４ｂ…縁部
４１…底壁
４２…立壁
４２ａ…新たな上縁
１４１…壁部
３０１…脚体
４０２…補助幕板
Ｓ…配線ダクト空間
Ｓ１…第１の使用形態
Ｓ２…第２の使用形態
ＳＳ…幅広な配線ダクト空間
【図１】
2010063663.tif 000003
【図２】
2010063663.tif 000004
【図３】
2010063663.tif 000005
【図４】
2010063663.tif 000006
【図５】
2010063663.tif 000007
【図６】
2010063663.tif 000008
【図７】
2010063663.tif 000009
【図８】
2010063663.tif 000010
【図９】
2010063663.tif 000011
【図１０】
2010063663.tif 000012